(57)【要約】【課題】本体天面に、多彩な操作・表示機能の殆どを配置するのに、組立て易く、外観不良等の発生を大幅に低減できる誘導加熱調理器を提供する。【解決手段】本体１の天面に開口部２８〜３０を形成し、その開口部に操作部ユニット９を、本体１内側より嵌着するとともに本体１の外側より締結部材によって固定したものである。これにより、本体１天面に、多彩な操作・表示機能の殆どを配置するのに、組立て易く、外観不良等の発生を大幅に低減できる。【選択図】  図３
2004327112.tif 000002
【特許請求の範囲】
【請求項１】
本体と、前記本体の天面に配された、被加熱調理器を載置する天板と、前記天板の下方に設けられた誘導加熱コイルと、前記誘導加熱コイルに高周波電力を供給する電源回路と、外部操作により機器の運転制御及び機器の運転状態表示をする制御回路と、前記制御回路を収納する操作部ユニットとを備え、前記本体の天面には開口部を形成し、前記操作部ユニットを前記開口部に前記本体内側より嵌着して本体に固定してなる誘導加熱調理器。
【請求項２】
天板の外周を囲んで支持するとともに本体の天面の一部もしくは殆ど全部を構成するトップフレームに開口部を形成してなる請求項１に記載の誘導加熱調理器。
【請求項３】
操作部ユニットを、本体の天面裏面にその一部を圧着させて、その略上下方向の位置を規制してなる請求項１または２に記載の誘導加熱調理器。
【請求項４】
本体の天面に形成した開口部の近傍の周囲裏面に操作部ユニットの一部を圧着してなる請求項３に記載の誘導加熱調理器。
【請求項５】
制御回路を構成するプリント配線板を複数個に分割し、各々を個別のケースに収納するとともに、前記各々のケースを、本体の開口部に沿った方向において、少なくともその長手方向に遊びをもたせて係合させてなる請求項１に記載の誘導加熱調理器。
【請求項６】
本体の天面の開口部に嵌着して固定される複数個のケースに対し、１個のカバーを取付けてなる請求項５に記載の誘導加熱調理器。
【請求項７】
操作部ユニットを、その下方に位置する部材に載置した時に、器体完成時において、前記操作部ユニットが位置する状態の近傍に配置されるように、前記操作部ユニット及び前記部材の相互に位置決め部分を形成してなる請求項１に記載の誘導加熱調理器。
【請求項８】
ケースとカバーとの間で、本体の開口部に沿った方向において、少なくともその長手方向に遊びをもたせてなる請求項６に記載の誘導加熱調理器。
【請求項９】
本体の天面には上方より一括して覆うシートを取付けてなる請求項１〜８のいずれか１項に記載の誘導加熱調理器。
【発明の詳細な説明】
【０００１】
【発明の属する技術分野】
本発明は、一般家庭の台所や業務用の厨房等で使用される、据え置き型或いは組込型の誘導加熱調理器に関するものである。
【０００２】
【従来の技術】
従来、この種の誘導加熱調理器は、その操作部が本体の前面に配され、機器の運転を制御するための信号入力部、及び機器の運転状態を表示する表示部等を有する制御回路を含む操作部ユニットは、ねじ等の締結手段により、本体外郭の一部に、その内側から取付けられているのが一般的であった（例えば、特許文献１参照）。
【０００３】
【特許文献１】
特開２００２−２１３７５５号公報
【０００４】
【発明が解決しようとする課題】
しかしながら、このような従来の構成では、操作部が本体の前面であるために、運転制御のためのスイッチ類操作や、運転状態確認のための確認がし難く、使い勝手が良くなかった。
【０００５】
なお、一部には、本体前部に収納した操作部をスライドあるいは回転させて、その操作面を上方に向かせるものもあるが、構成が複雑になったり、使用時には本体前方に大きく突出するために、操作以外の作業時に邪魔になったりするものである。
【０００６】
また、一部には部分的な操作・表示機能を本体の天面に設けたものがあるが、主たる操作・表示部は本体の前方に配されているものであった。これは、元来、本体の天面は被加熱物を載置するために、載置面に相当する部分、即ち天板は高耐熱のガラス等の、電磁誘導によって加熱されない材質で構成され、その周囲は被加熱物からの熱に十分耐え、かつ外装として見栄えのよく、腐食にも強いステンレス等の金属からなるフレームで構成しているのが一般的であることに起因する。
【０００７】
つまり、ほとんど全ての操作・表示機能を集約した、本格的な操作部を本体の天面に配置しようとすると、本体の操作部に相当する部分が複雑化するため、ステンレス等の金属では加工が困難になる。
【０００８】
また、従来の構成では、操作部を組み立てる際に、本体を裏返して構成部品を組み込んでいくために、本体フレームの表面に傷等を付け易く、外観品位が損なわれて不良品になる可能性が大きくなるものであった。
【０００９】
本発明は、このような従来の課題を解決するものであり、本体の天面に、多彩な操作・表示機能の殆どを配置するにあたり、組立て易く、外観不良等の発生を大幅に低減できる誘導加熱調理器を提供することを目的としている。
【００１０】
【課題を解決するための手段】
前記従来の課題を解決するために、本発明の誘導加熱調理器は、本体と、前記本体の天面に配された、被加熱調理器を載置する天板と、前記天板の下方に設けられた誘導加熱コイルと、前記誘導加熱コイルに高周波電力を供給する電源回路と、外部操作により機器の運転制御及び機器の運転状態表示をする制御回路と、前記制御回路を収納する操作部ユニットとを備え、前記本体の天面には開口部を形成し、前記操作部ユニットを前記開口部に前記本体内側より嵌着して本体に固定したものである。
【００１１】
これにより、操作部の複雑な形状を、操作部ユニットとすることで比較的容易に実現できるとともに、操作部ユニットを、開口部に本体内側より嵌着して固定することで天面を構成する部品を裏返して構成部品を組み立てる必要がないので、外観部分を傷つける心配が殆どなくなり、多彩な操作・表示機能の殆どを配置するにあたり、組立て易く、外観不良等の発生を大幅に低減できるものである。
【００１２】
【発明の実施の形態】
請求項１に記載の発明は、本体と、前記本体の天面に配された、被加熱調理器を載置する天板と、前記天板の下方に設けられた誘導加熱コイルと、前記誘導加熱コイルに高周波電力を供給する電源回路と、外部操作により機器の運転制御及び機器の運転状態表示をする制御回路と、前記制御回路を収納する操作部ユニットとを備え、前記本体の天面には開口部を形成し、前記操作部ユニットを前記開口部に前記本体内側より嵌着して本体に固定してなる誘導加熱調理器とすることにより、操作部の複雑な形状を、操作部ユニットとすることで比較的容易に実現できるとともに、操作部ユニットを、開口部に本体内側より嵌着して固定することで天面を構成する部品を裏返して構成部品を組み立てる必要がないので、外観部分を傷つける心配が殆どなくなり、多彩な操作・表示機能の殆どを配置するにあたり、組立て易く、外観不良等の発生を大幅に低減できるものである。
【００１３】
すなわち、操作部ユニットに操作部の複雑な形状を形成することができるので、本体の外郭部品を、複雑な形状に加工し難いステンレス等の金属で構成することが容易で、かつ、操作部ユニットを、開口部に本体内側より組立てを行うため、外観に傷を付ける心配が激減するのである。
【００１４】
請求項２に記載の発明は、天板の外周を囲んで支持するとともに本体の天面の一部もしくは殆ど全部を構成するトップフレームに開口部を形成してなる請求項１に記載の誘導加熱調理器とすることにより、本体の天面部品間の継ぎ目を減らすことができ、すっきりした外観にすることができるとともに、汚れなどが継ぎ目に溜まるといったことも低減できるのである。
【００１５】
請求項３に記載の発明は、操作部ユニットを、本体の天面裏面にその一部を圧着させて、その略上下方向の位置を規制してなる請求項１または２に記載の誘導加熱調理器とすることにより、操作面の上下方向の位置ばらつきを低減でき、開口部周囲との段差を安定させることができ、外観も損なわれることがない。
【００１６】
請求項４に記載の発明は、本体の天面に形成した開口部の近傍の周囲裏面に操作部ユニットの一部を圧着してなる請求項３に記載の誘導加熱調理器とすることにより、例えば１枚のステンレス鋼板からなるトップフレームに開口部を形成した場合、その裏面、即ち板厚のみを介して操作部ユニットの上下位置を規制することができるため、ばらつきを殆どなくすことができる。このため、操作部ユニット内の操作スイッチ等の位置も一定になり、操作感も安定したものにすることができる。
【００１７】
請求項５に記載の発明は、制御回路を構成するプリント配線板を複数個に分割し、各々を個別のケースに収納するとともに、前記各々のケースを、本体の開口部に沿った方向において、少なくともその長手方向に遊びをもたせて係合させてなる請求項１に記載の誘導加熱調理器とすることにより、各部品の寸法のばらつきを、遊びによって吸収できるので、安定した組立てができるのである。
【００１８】
請求項６に記載の発明は、本体の天面の開口部に嵌着して固定される複数個のケースに対し、１個のカバーを取付けてなる請求項５に記載の誘導加熱調理器とすることにより、操作部ユニットが一つにまとまるので、組立て時等の扱いが容易になるのである。
【００１９】
請求項７に記載の発明は、操作部ユニットを、その下方に位置する部材に載置した時に、器体完成時において、前記操作部ユニットが位置する状態の近傍に配置されるように、前記操作部ユニット及び前記部材の相互に位置決め部分を形成してなる請求項１に記載の誘導加熱調理器とすることにより、先に操作部ユニットの結線及び配線処理を完了してから、最後に、開口部を有する本体の天面を、操作部ユニットに嵌合させて組込むことができ、天面に配した操作部ユニットを確認した上で、器体を完成させることが可能であるため、誤配線等を防止できるのである。
【００２０】
請求項８に記載の発明は、ケースとカバーとの間で、本体の開口部に沿った方向において、少なくともその長手方向に遊びをもたせてなる請求項６に記載の誘導加熱調理器とすることにより、操作部ユニットを一体として扱いながら、本体天面に設けた開口部と、ケースとの位置のずれをユニット完成後も調整でき、組立てが容易にできるのである。
【００２１】
請求項９に記載の発明は、本体の天面には上方より一括して覆うシートを取付けてなる請求項１〜８のいずれか１項に記載の誘導加熱調理器とすることにより、複数の部品の継ぎ目を隠すことができるとともに、外観を損なわずに、開口部間に梁状の補強部部分を設けることができるのである。
【００２２】
【実施例】
以下、本発明の実施例について図面を参照しながら説明する。
【００２３】
図１において、１は誘導加熱調理器を構成する本体で、その天面には、鍋などの被加熱調理器を載置する天板２が配されている。天板２は電磁誘導によって加熱されない高耐熱のガラス等の材質で構成されている。３は天板２の外周を囲み、これを支持して、本体１の天面の一部もしくは殆ど全部を構成するトップフレームで、天板２を介して伝わる、被加熱調理器からの熱に十分耐え、かつ外観部品として見栄えのよく、腐食にも強いステンレスやホーロー処理鋼板等の金属からなっている。４は本体１の天面に設けた操作部で、外部操作により機器の運転を制御するための信号入力部、及び機器の運転状態を表示する表示部等を有する制御回路（後述）を装備している。
【００２４】
図２において、５は天板２の下方に近接して設けられている誘導加熱コイル５である。６は誘導加熱コイル５を収納し、本体１内の所定の位置に保持するためのコイルケースである。７は誘導加熱コイル５に高周波電力を供給する電源回路である。８は誘導加熱コイル５及び電源回路７を冷却するための冷却ファンである。なお、誘導加熱に関わる詳細構成・動作等については従来と同様であるので説明は省略する。
【００２５】
次に、図３〜図５は、操作部４を構成する操作部ユニット９の構成及び本体１への取付け構成の概略を示すものである。
【００２６】
図において、１０及び１１は、機器の運転を制御するための信号入力部、及び機器の運転状態を表示する表示部等を有する第１の制御回路及び第２の制御回路で、両者の間はお互いの情報を授受するための第１のリード線１２によって電気的に接続されている。１３は制御回路１０及び１１と、電源回路７等との情報を授受するための第２のリード線である。１４及び１５は、第１の制御回路１０及び第２の制御回路１１にあるスイッチ１６を外部操作によって押圧する時のアクチュエータとなる第１のキートップ及び第２のキートップで、各々は第１の制御回路１０及び第２の制御回路１１に取付けられている。
【００２７】
１７及び１８は第１の制御回路１０及び第２の制御回路１１を各々収納する樹脂材料からなる、第１のケース及び第２のケースで、これらのケース１７及び１８には制御回路１０及び１１が回路固定用ねじ１９によって固定されている。第１のケース１７及び第２のケース１８は、第２のケース１８に形成された穴部２０に、第１のケース１７に形成された爪２１を係合させることによって接続されている。この状態において、第１のケース１７及び第２のケース１８は、その長手方向に遊びを持って係合している。即ち、お互いの距離はこの遊びの分だけ調整が可能となっている。
【００２８】
２２は第１のケース１７及び第２のケース１８の下部を一括して覆う１個のカバーで、カバー固定用ねじ２３で第１のケース１７及び第２のケース１８に固定されている。この時、カバー固定用ねじ２３が、第１のケース１７のボス２４及び第２のケース１８のボス２５に締まりきった状態においてカバー２２の腕部２６は完全に固定されておらず、ケースのボス２４、２５と、腕部２６の穴２７との隙間の分だけ遊びができている。
【００２９】
これらの部品で、操作部ユニット９が構成されており、このユニットに操作・表示機能が集約されている。
【００３０】
トップフレーム３には複数の開口部、即ち第１の開口部２８、第２の開口部２９、及び第３の開口部３０が形成されており、一方、第１のケース１７には第１の開口部２８に嵌合する第１の操作面３１が、第２のケース１８には第２、第３の開口部２９、３０に嵌合する第２、第３の操作面３２、３３が形成されている。
【００３１】
操作部ユニット９の、トップフレーム３への固定は、これらの操作面をトップフレーム３の開口部２８〜３０に下方、即ち、本体１の内側から嵌着した状態でトップフレーム３の上方、即ち、本体１の外側からユニット固定用ねじ３４を、トップフレーム３を介してケース１７、１８に形成したボス３５に締め込むことによってなされるのである。
【００３２】
この時、操作部ユニット９をトップフレーム３に固定した状態において、ケース１７、１８に部分的に形成されたリブ３６が、トップフレーム３の裏面３７に圧着した状態になっている。具体的には、本体１の天面に形成した開口部２８〜３０の近傍の周囲裏面に圧着している。このリブ３６の高さの設定によって、操作面３１〜３３の、開口部２８〜３０に対する略上下方向の位置を規制できるのである。
【００３３】
３８はカバー２２の下部に形成された位置決め用突起で、操作部ユニット９を、その下方に位置する部材であるところの隔壁板３９に載置した時に、器体完成時において、操作部ユニット９が位置する状態の近傍に配置されるように、隔壁板３９に位置決め用の穴部４０が形成されている。位置決め用突起３８と位置決め用の穴部４０は、操作部ユニット９と隔壁板３９の相互の位置決め部分を構成している。
【００３４】
４１はトップフレーム３の開口部２８〜３０を上方より一括して覆うパネルシートで、キートップ１４、１５のボタン部４１に相対する箇所に、上下方向にたわむエンボス４２が形成されており、これを指で押圧操作することによって、その力がキートップ１４、１５のボタン部を介して、スイッチ１６に伝達されて、スイッチ１６が切り替わるのである。
【００３５】
以上のような構成とすることにより、まず、本体１の天面に開口部２８〜３０を形成し、それに対して操作部ユニット９を、本体１内側より嵌着するとともに、本体１の外側より締結部材であるところのユニット固定用ねじ３４によって固定することにより、操作部ユニット９に操作部の複雑な形状を形成することができるので、本体１の天面を構成する外郭部品を、複雑な形状に加工し難いステンレス等の金属で構成することが容易で、かつ、外観でもある外郭部品を裏返して組立てを行う必要がないので、外観に傷を付ける心配が激減するのである。
【００３６】
また、被加熱調理器を載置する天板２の外周を囲み、天板２を支持して、本体１の天面の一部もしくは殆ど全部を構成するトップフレーム３に一体で、開口部２８〜３０を形成することにより、本体２１の天面部品間の継ぎ目を減らすことができ、すっきりした外観にすることができるとともに、汚れなどが継ぎ目に溜まるといったことも低減できるのである。
【００３７】
また、操作部ユニット９を、本体１天面の裏面３７にその一部を圧着させて、その上下方向の位置を規制することによって、操作面３１〜３３の上下方向の位置ばらつきを低減でき、開口部２８〜３０の周囲との段差を安定させることができ、外観も損なわれることがない。
【００３８】
また、、本体１の天面に形成した開口部２８〜３０近傍の周囲裏面３７に操作部ユニット９の一部を圧着することにより、１枚のステンレス鋼板からなるトップフレーム３に開口部を形成した場合、その裏面、即ち板厚のみ介して操作部ユニット９の上下位置を規制することができるため、ばらつきを殆どなくすことができる。このため、操作部ユニット９内の操作スイッチ１６等の位置も一定になり、その操作感も安定したものにすることができる。
【００３９】
また、制御回路を複数個に分割し、各々を個別のケース１７、１８に収納するとともに、各々のケース１７、１８を、本体１の開口部２８〜３０に略沿った方向において、少なくともその長手方向に遊びをもたせて係合させることにより、各部品の寸法のばらつきを、遊びによって吸収できるので、安定した組立てができるのである。
【００４０】
また、本体１天面の開口部に嵌着して固定される、複数の制御回路１０、１１を個別に収納する複数個のケース１７、１８に対し、１個のカバー２２を取付けることにより、操作部ユニット９が一つにまとまるので、組立て時等の扱いが容易になるのである。
【００４１】
また、操作部ユニット９を、その下方に位置する部材である隔壁板３９に載置した時に、器体完成時において、操作部ユニット９が位置する状態の近傍に配置されるように、操作部ユニット９及び隔壁板３９の相互に位置決め部分を形成することにより、先に操作部ユニット９の結線及び配線処理を完了してから、最後に、開口部を有する本体天面部であるトップフレーム３を、操作部ユニット９に嵌合させて組込むことができ、天面に配した操作部ユニット９の組立て完了を確認した上で、器体を完成させることが可能であるため、誤配線等を防止できるのである。
【００４２】
また、ケース１７、１８に対し、カバー２２を取付けるとともに、取付けた状態で、ケース１７、１８とカバー２２との間で、本体１の開口部に略沿った方向において、少なくともその長手方向に遊びをもたせることにより、操作部ユニット９を一体として扱いながら、本体１天面に設けた開口部２８〜３０と、ケース１７、１８との位置のずれをユニット完成後も調整でき、組立てが容易にできるのである。
【００４３】
さらには、、複数個のケース１７、１８を開口部２８〜３０に嵌着するとともに、それら開口部を上方より一括して覆うパネルシート４１を取付けることにより、複数の部品の継ぎ目を隠すことができるとともに、外観を損なわずに、開口部間に梁状の補強部部分を設けることができ、堅牢性の向上を図ることができるのである。
【００４４】
【発明の効果】
以上のように、本発明の誘導加熱調理器によれば、操作部の複雑な形状を、操作部ユニットとすることで比較的容易に実現できるとともに、操作部ユニットを、開口部に本体内側より嵌着して固定することで天面を構成する部品を裏返して構成部品を組み立てる必要がないので、外観部分を傷つける心配が殆どなくなり、多彩な操作・表示機能の殆どを配置するにあたり、組立て易く、外観不良等の発生を大幅に低減できるものである。
【図面の簡単な説明】
【図１】本発明の実施例における誘導加熱装置を示す外観斜視図
【図２】同誘導加熱装置の分解斜視図
【図３】同誘導加熱装置の要部の分解斜視図
【図４】同誘導加熱装置の要部組立て断面図
【図５】同誘導加熱装置の要部の分解断面図
【符号の説明】
１  本体
２  天板
３  トップフレーム
４  操作部
５  誘導加熱コイル
７  電源回路
９  操作部ユニット
１０  第１の制御回路
１１  第２の制御回路
１７  第１のケース
１８  第２のケース
２２  カバー
２８  第１の開口部
２９  第２の開口部
３０  第３の開口部
３１  第１の操作面
３２  第２の操作面
３３  第３の操作面
３６  リブ
３７  トップフレームの裏面
３８  位置決め用突起
３９  隔壁板
４０  位置決め用の穴部
４１  パネルシート
【図１】
2004327112.tif 000003
【図２】
2004327112.tif 000004
【図３】
2004327112.tif 000005
【図４】
2004327112.tif 000006
【図５】
2004327112.tif 000007